【手続補正書】
【提出日】平成30年1月18日(2018.1.18)
【手続補正１】
【補正対象書類名】特許請求の範囲
【補正対象項目名】全文
【補正方法】変更
【補正の内容】
【特許請求の範囲】
【請求項１】
（ａ）２６重量％のＨＦＣ−３２；
（ｂ）２６重量％のＨＦＣ−１２５；
（ｃ）２０〜２５重量％のＨＦＯ−１２３４ｙｆおよび２〜７重量％のＨＦＯ−１２３４ｚｅ；
（ｄ）２１重量％のＨＦＣ−１３４ａ；
ここで、重量％は、組成物中の成分（ａ）〜（ｄ）の合計に基づく、
から実質的になる熱伝達組成物を、低温冷凍システム及び／又は中温冷凍システムであり現行の熱伝達流体を含む現行の熱伝達システムに導入することを含む、現行の熱伝達システムを再装入する方法であって、前記低温冷凍システム及び／又は中温冷凍システムが−４０℃〜＋５℃の操作温度を有する蒸発器を含む、方法。
【請求項２】
前記組成物が成分（ａ）〜（ｄ）からなる、請求項１に記載の方法。
【請求項３】
中温冷凍システムにおいて使用するための請求項１または２に記載の方法であって、前記蒸発器が−１５℃〜＋５℃の操作温度を有する、方法。
【請求項４】
低温冷凍システムにおいて使用するための請求項１または２に記載の方法であって、前記蒸発器が−４０℃〜−１５℃未満の操作温度を有する、方法。
【請求項５】
請求項４に記載の方法であって、前記低温冷凍システムが凝縮器を有し、前記凝縮器が３５℃〜４５℃の操作温度を有する、方法。
【請求項６】
前記低温冷凍システム及び／又は中温冷凍システムが、商業的冷凍システムである、請求項１または２に記載の方法。
【請求項７】
前記熱伝達組成物における前記ＨＦＯ−１２３４ｙｆ及び前記ＨＦＯ−１２３４ｚｅの量がそれぞれ２０重量％及び７重量％である、請求項１〜６のいずれかに記載の方法。
【請求項８】
前記熱伝達組成物における前記ＨＦＯ−１２３４ｚｅがｔｒａｎｓＨＦＯ−１２３４ｚｅを含む、請求項１〜７のいずれかに記載の方法。
【請求項９】
前記熱伝達組成物における前記ＨＦＯ−１２３４ｚｅがｔｒａｎｓＨＦＯ−１２３４ｚｅから実質的になる、請求項１〜８のいずれかに記載の方法。
【請求項１０】
前記熱伝達組成物における前記ＨＦＯ−１２３４ｚｅがｔｒａｎｓＨＦＯ−１２３４ｚｅである、請求項１〜９のいずれかに記載の方法。
【請求項１１】
前記熱伝達組成物が、ポリオールエステル（ＰＯＥ）、ポリアルキレングリコール（ＰＡＧ）、ＰＡＧ油、シリコーン油、鉱油、アルキルベンゼン（ＡＢ）、およびポリ（アルファ−オレフィン）（ＰＡＯ）からなる群から選ばれる潤滑剤と組み合わせて与えられる、請求項１〜１０のいずれかに記載の方法。
【請求項１２】
前記潤滑剤がＰＯＥである、請求項１１に記載の方法。
【請求項１３】
前記現行の熱伝達流体はＨＦＣ−４０４Ａ又はＲ−２２である、請求項１〜１２のいずれかに記載の方法。
【請求項１４】
前記熱伝達組成物が、前記低温冷凍システム若しくは前記中温冷凍システムのいずれかにおいてＨＦＣ−４０４Ａと同様であるかこれより高い効率を有する、又は前記低温冷凍システム若しくは前記中温冷凍システムのいずれかにおいてＲ−２２と同様であるかこれより高い効率を有する、請求項１３に記載の方法。
【請求項１５】
前記熱伝達組成物が、冷媒が部分的に漏出した後に、現行の熱伝達流体につぎ足すために使用される、請求項１〜１４のいずれかに記載の方法。
【請求項１６】
前記熱伝達組成物を導入する工程の前に、現行の熱伝達流体の少なくとも一部を除去する工程を含む、請求項１〜１４のいずれかに記載の方法。
【請求項１７】
前記現行の熱伝達流体の５％超が除去される、請求項１５に記載の方法。
【請求項１８】
前記現行の熱伝達流体の１０％超が除去される、請求項１６または１７に記載の方法。
【請求項１９】
前記現行の熱伝達流体の２５％超が除去される、請求項１６〜１８のいずれかに記載の方法。
【請求項２０】
前記現行の熱伝達流体の５０％超が除去される、請求項１６〜１９のいずれかに記載の方法。
【請求項２１】
前記現行の熱伝達流体の７５％超が除去される、請求項１６〜２０のいずれかに記載の方法。
【請求項２２】
現行の熱伝達流体を含み低温冷凍システム及び／又は中温冷凍システムである現行の熱伝達流体を再装入することにおける熱伝達組成物の使用であって、
前記熱伝達組成物が、
（ａ）２６重量％のＨＦＣ−３２；
（ｂ）２６重量％のＨＦＣ−１２５；
（ｃ）２０〜２５重量％のＨＦＯ−１２３４ｙｆおよび２〜７重量％のＨＦＯ−１２３４ｚｅ；
（ｄ）２１重量％のＨＦＣ−１３４ａ；
から実質的になり、ここで、重量％は組成物中の成分（ａ）〜（ｄ）の合計に基づく、
前記低温冷凍システム及び／又は中温冷凍システムが−４０℃〜＋５℃の操作温度を有する蒸発器を含む、使用。
【請求項２３】
前記組成物が成分（ａ）〜（ｄ）からなる、請求項２２に記載の使用。
【請求項２４】
中温冷凍システムにおいて使用するための、前記蒸発器が−１５℃〜＋５℃の操作温度を有する、請求項２２又は２３に記載の使用。
【請求項２５】
低温冷凍システムにおいて使用するための、前記蒸発器が−４０℃〜−１５℃未満の操作温度を有する、請求項２２又は２３に記載の使用。
【請求項２６】
前記低温冷凍システムが凝縮器を有し、前記凝縮器が３５℃〜４５℃の操作温度を有する、請求項２５に記載の使用。
【請求項２７】
前記低温冷凍システム及び／又は中温冷凍システムが、商業的冷凍システムである、請求項２５または２６に記載の使用。
【請求項２８】
前記熱伝達組成物中の前記ＨＦＯ−１２３４ｙｆ及び前記ＨＦＯ−１２３４ｚｅの量がそれぞれ２０重量％及び７重量％である、請求項２２〜２７のいずれかに記載の使用。
【請求項２９】
前記熱伝達組成物中の前記ＨＦＯ−１２３４ｚｅがｔｒａｎｓＨＦＯ−１２３４ｚｅを含む、請求項２２〜２８のいずれかに記載の使用。
【請求項３０】
前記熱伝達組成物中の前記ＨＦＯ−１２３４ｚｅがｔｒａｎｓＨＦＯ−１２３４ｚｅから実質的になる、請求項２２〜２９のいずれかに記載の使用。
【請求項３１】
前記熱伝達組成物中の前記ＨＦＯ−１２３４ｚｅがｔｒａｎｓＨＦＯ−１２３４ｚｅである、請求項２２〜３０のいずれかに記載の使用。
【請求項３２】
前記熱伝達組成物が、ポリオールエステル（ＰＯＥ）、ポリアルキレングリコール（ＰＡＧ）、ＰＡＧ油、シリコーン油、鉱油、アルキルベンゼン（ＡＢ）、およびポリ（アルファ−オレフィン）（ＰＡＯ）からなる群から選ばれる潤滑剤と組み合わせて与えられる、請求項２２〜３１のいずれかに記載の使用。
【請求項３３】
前記潤滑剤がＰＯＥである、請求項３２に記載の使用。
【請求項３４】
前記現行の熱伝達流体はＨＦＣ−４０４Ａ又はＲ−２２である、請求項２２〜３３のいずれかに記載の使用。
【請求項３５】
前記熱伝達組成物が、前記低温冷凍システム若しくは前記中温冷凍システムのいずれかにおいてＨＦＣ−４０４Ａと同様であるかこれより高い効率を有する、又は前記低温冷凍システム若しくは前記中温冷凍システムのいずれかにおいてＲ−２２と同様であるかこれより高い効率を有する、請求項３４に記載の使用。
【請求項３６】
前記熱伝達組成物が、冷媒が部分的に漏出した後に、現行の熱伝達流体につぎ足すために使用される、請求項２２〜３５のいずれかに記載の使用。
【請求項３７】
前記熱伝達組成物を導入する工程の前に、現行の熱伝達流体の少なくとも一部を除去する工程を含む、請求項２２〜３５のいずれかに記載の使用。
【請求項３８】
前記現行の熱伝達流体の５％超が除去される、請求項３７に記載の使用。
【請求項３９】
前記現行の熱伝達流体の１０％超が除去される、請求項３７または３８に記載の使用。
【請求項４０】
前記現行の熱伝達流体の２５％超が除去される、請求項３７〜３９のいずれかに記載の使用。
【請求項４１】
前記現行の熱伝達流体の５０％超が除去される、請求項３７〜４０のいずれかに記載の使用。
【請求項４２】
前記現行の熱伝達流体の７５％超が除去される、請求項３７〜４１のいずれかに記載の使用。
【手続補正２】
【補正対象書類名】明細書
【補正対象項目名】００５９
【補正方法】変更
【補正の内容】
【００５９】
本発明を好ましい態様に関し記載してきたが、当業者なら、本発明の範囲から逸脱することなく、さまざまな変更を加えてもよく、本発明の要素を等価物で置き換えてもよいことを、理解するであろう。加えて、本発明の実質的範囲から逸脱することなく、本発明の教示に関する特定の状況または材料に適合するように、多くの改変を加えてもよい。したがって、本発明は、開示した特定の態様に限定されるものではなく、本発明は、添付する請求項または後で加えられる任意の請求項の範囲内にある態様をすべて包含するものとする。
本発明は以下の態様を含む。
［１］  以下を含む熱伝達組成物：（ａ）重量に基づき約１０％〜約３５％のＨＦＣ−３２；（ｂ）重量に基づき約１０％〜約３５％のＨＦＣ−１２５；（ｃ）重量に基づき０％超〜約３０％のＨＦＯ−１２３４ｚｅ；（ｄ）重量に基づき約１０％〜約３５％のＨＦＣ−１３４ａ；これに関し、重量パーセントは、組成物中の成分（ａ）〜（ｄ）の合計に基づく。
［２］  前記ＨＦＯ−１２３４ｚｅがｔｒａｎｓ−ＨＦＯ−１２３４ｚｅを含む、［１］に記載の熱伝達組成物。
［３］  重量に基づき１５％超〜約３０％のＨＦＣ−３２を含む、［１］に記載の熱伝達組成物。
［４］  重量に基づき２０％超〜約３０％のＨＦＣ−１２５を含む、［４］に記載の熱伝達組成物。
［５］  さらに、最大約２５重量％の量でＨＦＯ−１２３４ｙｆを含む、［１］に記載の熱伝達組成物。
［６］  重量に基づき約５％〜約３０％のＨＦＯ−１２３４ｚｅを含む、［５］に記載の熱伝達組成物。
［７］  約５：１〜約０．１：１のＨＦＯ−１２３４ｚｅ：ＨＦＯ−１２３４ｙｆの重量比を有する、［６］に記載の熱伝達組成物。
［８］  さらに最大約５重量％のＨＦＣＯ−１２３３ｚｅを含む、［１］に記載の熱伝達組成物。
［９］  熱伝達システムに含有されている現行の熱伝達流体を置き換えるための方法であって、
前記システムから前記現行の熱伝達流体の少なくとも一部を除去し、これに関し、前記現行の熱伝達流体はＨＦＣ−４０４Ａである、そして、
前記現行の熱伝達流体の少なくとも一部を、以下を含む熱伝達組成物：
（ａ）重量に基づき約１０％〜約３５％のＨＦＣ−３２；（ｂ）重量に基づき約１０％〜約３５％のＨＦＣ−１２５；（ｃ）重量に基づき約０％〜約３０％のＨＦＯ−１２３４ｙｆおよび重量に基づき０％超〜約３０％のＨＦＯ−１２３４ｚｅ；（ｄ）重量に基づき約１０％〜約３５％のＨＦＣ−１３４ａ；これに関し、重量パーセントは、組成物中の成分（ａ）〜（ｄ）の合計に基づく；
を前記システムに導入することにより置き換える、
ことを含む、前記方法。
［１０］  熱伝達システムであって、流体連通状態にある圧縮機、凝縮器および蒸発器と、前記システム中の熱伝達組成物を含み、前記熱伝達組成物が、以下：
（ａ）重量に基づき約１０％〜約３５％のＨＦＣ−３２；（ｂ）重量に基づき約１０％〜約３５％のＨＦＣ−１２５；（ｃ）重量に基づき約０％〜約３０％のＨＦＯ−１２３４ｙｆおよび重量に基づき０％超〜約３０％のＨＦＯ−１２３４ｚｅ；（ｄ）重量に基づき約１０％〜約３５％のＨＦＣ−１３４ａ；これに関し、重量パーセントは、組成物中の成分（ａ）〜（ｄ）の合計に基づく；
を含み、前記凝縮器が、約３５℃〜約４５℃の操作温度を有する、前記システム。